【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
(a) 入口およびこれに対向する出口とを含む媒体梱包体であって、前記媒体梱包体は、
(i) 濾過されるべき空気の通路となるように前記媒体梱包体の入口の端部で開口し、前記媒体梱包体の出口の端部または近傍で閉口した入口縦溝流路の組と、
(ii) 濾過されるべき空気の通路を、前記媒体梱包体の入口の端部または近傍で閉口し、濾過後の空気を前記媒体梱包体の出口の端部から出すように開口した出口縦溝流路の組と、を備え、
(iii) 前記媒体梱包体は、濾過前の空気が前記入口の端部の内部に入り、その後、前記対向する出口の端部から濾過されずに外部から流れないように閉じられ、
(b) 前記媒体梱包体の前記入口の第１の端部および前記出口の端部に隣接して配置される先行成型部であって、
(i) 前記先行成型部は、前記媒体梱包体の前記入口の第１の端部および前記出口の端部から外方的に突出形成されるハウジングシール支持部を有し、
(c) 気密材料から成型される追加成型部であって、前記追加成型部は、
(i) 前記先行成型部が位置する前記媒体梱包体の前記第１の端部と、前記先行成型部との間の境界のシールを行う第１の部分と、
(ii) フィルタエレメントとエアクリーナとの間で半径方向シールが提供されるように、半径方向に指向されるシール部位を有したエアクリーナシールとなる位置に設けられる第２の部分と、を備え、
(iii) 前記追加成型部の前記第１の部分と前記第２の部分とは互いに一体成型される、ことを特徴とするフィルタエレメント。
【請求項２】
(a) 入口およびこれに対向する出口とを含む媒体梱包体であって、前記媒体梱包体は、
(i) 濾過される空気の通路となるように前記媒体梱包体の入口の端部で開口し、前記媒体梱包体の出口の端部において、全長の１０％の距離の範囲内で閉口した入口縦溝流路の組と、
(ii) 濾過されるべき空気の通路を、前記媒体梱包体の入口の端部において、全長の１０％の距離の範囲内で閉口し、濾過後の空気を前記媒体梱包体の出口の端部から出すように開口した出口縦溝流路の組と、を備え、
(b) 前記媒体梱包体の前記入口の第１の端部および前記出口の端部に隣接して配置される先行成型部と、
(c) 気密材料から成型される追加成型部であって、前記追加成型部は、
(i) 前記先行成型部が位置する前記媒体梱包体の前記第１の端部と、前記先行成型部との間の境界のシールを行う第１の部分と、
(ii) 使用中に、フィルタエレメントとエアクリーナとの間でエアクリーナシールが提供される第２の部分と、を備え、
(iii) 前記追加成型部の前記第１の部分と前記第２の部分とは互いに一体成型される、ことを特徴とするフィルタエレメント。
【請求項３】
(a) 前記媒体梱包体は外側の側壁を有するコイル状梱包体であり、
(b) 前記先行成型部のいかなる一部も前記媒体梱包体の外側の側壁から拡張せず、
(c) 前記追加成型部は、前記媒体梱包体の第１の端部から少なくとも５mmの距離分に渡り前記側壁に拡張されることを特徴とする請求項１または２に記載のフィルタエレメント。
【請求項４】
(a) 前記追加成型部は、発泡ポリウレタンを含むことを特徴とする請求項１乃至３のいずれか１項に記載のフィルタエレメント。
【請求項５】
(a) 前記先行成型部は、前記媒体梱包体の前記出口の端部に隣接して配置されることを特徴とする請求項１乃至４のいずれか１項に記載のフィルタエレメント。
【請求項６】
(a) 前記先行成型部は、前記ハウジングシール支持部と半径方向外方に向かうスカート部分を含み、
(i) 前記ハウジングシール支持部と半径方向外方に向かう前記スカート部分は互いに一体成型され、
(ii) 半径方向外方に向かう前記スカート部分は、前記先行成型部と前記媒体梱包体との境界において、最も外側に位置する外側縁部を有することを特徴とする請求項１乃至５のいずれか１項に記載のフィルタエレメント。
【請求項７】
(a) 半径方向外方に向かう前記スカート部分は、角度２０〜７０度の範囲で前記媒体梱包体から拡張されることを特徴とする請求項６に記載のフィルタエレメント。
【請求項８】
(a) 前記先行成型部は、一体成型される媒体表面クロス部材をさらに含むことを特徴とする請求項１乃至７のいずれか１項に記載のフィルタエレメント。
【請求項９】
(a) 前記先行成型部は、成型されるナイロン製部品を含むことを特徴とする請求項１乃至８のいずれか１項に記載のフィルタエレメント。
【請求項１０】
(a) 前記媒体梱包体は、楕円形の横断面形状を備えることを特徴とする請求項１乃至 ９のいずれか１項に記載のフィルタエレメント。
【請求項１１】
(a) 前記媒体梱包体は、２つの対向する湾曲面と、２つの対向する直線面とを有する競技場走路の横断面形状を備えることを特徴とする請求項１０に記載のフィルタエレメント。
【請求項１２】
(a) 媒体梱包体は、円形の横断面を備えることを特徴とする請求項１乃至９のいずれか１項に記載のフィルタエレメント。
【請求項１３】
(a) 前記媒体梱包体は、シール材片で外側の末端が固定されることを特徴とする請求項１乃至１２のいずれか１項に記載のフィルタエレメント。
【請求項１４】
(a) 前記シール材片は、前記媒体梱包体の前記出口の前記端部から少なくとも４mm分離れて、前記追加成型部の下方の位置で終わることを特徴とする請求項１３に記載のフィルタエレメント。
【請求項１５】
(a) 前記媒体梱包体の前記出口の前記端部に隣接して、前記入口縦溝流路の端部が棒状シール材によって閉口されることを特徴とする請求項１乃至１４のいずれか１項に記載のフィルタエレメント。
【請求項１６】
(a) 前記媒体梱包体の前記出口の前記端部に隣接して、前記入口縦溝流路の端部がシングルフェーサの棒状シール材によって閉口されることを特徴とする請求項１乃至１５のいずれか１項に記載のフィルタエレメント。
【請求項１７】
(a) 前記媒体梱包体の前記出口の前記端部に隣接して、前記入口縦溝流路の端部が折り畳みによって閉口されることを特徴とする請求項１乃至１６のいずれか１項に記載のフィルタエレメント。
【請求項１８】
(a) 前記媒体梱包体の前記入口の前記端部に隣接して、前記出口縦溝流路はワインダー棒状シール材によって閉口されることを特徴とする請求項１乃至１７のいずれか１項に記載のフィルタエレメント。
【請求項１９】
(a) 前記媒体梱包体は、シングルフェーサの最も外側の包装部を含み、
(b) 前記追加成型部の残り部分と一体成型される発泡ウレタンの成型部分は、前記出口表面に隣接してシングルフェーサの最も外側の前記包装部中、または開口された前記出口縦溝流路の前記出口端を閉じるように位置決めされることを特徴とする請求項１乃至１８のいずれか１項に記載のフィルタエレメント。
【請求項２０】
(a) 前記先行成型部は、前記媒体梱包体の前記出口表面に向けられるリブ構成をその上に形成したことを特徴とする請求項１乃至１９のいずれか１項に記載のフィルタエレメント。
【請求項２１】
請求項１乃至２０のいずれか１項に記載のフィルタエレメントを成型する方法であって、前記方法は、
(a) 金型の貯液部の中に、硬化前の発泡ウレタンを配置する工程と、
(b) 前記金型において、前記媒体梱包体の端部と前記先行成型部との位置決めを行い、前記金型の一部が、前記媒体梱包体の端から少なくとも５mm分離れた位置で押し付けられる工程と、
(c) 前記硬化前の発泡ウレタンが、前記先行成型部の周りで前記追加成型部を形成するように上昇され、硬化され前記媒体梱包体と前記先行成型部との境界を覆う工程とを備えることを特徴とする方法。
【請求項２２】
(a) 前記媒体梱包体の前記出口縦溝流路まで、前記追加成型部を成型するように前記発泡ウレタンの一部の上昇を許可することを特徴とする請求項２１に記載の方法。
【請求項２３】
(a) エアクリーナハウジングと、
(b) 点検整備可能なフィルタエレメントとを備え、
(i) 入口およびこれに対向する出口を含む媒体梱包体であり、前記媒体梱包体は、
(A) 濾過される空気の通路となるように前記媒体梱包体の入口の端部または近傍 で開口し、前記媒体梱包体の入口の端部で閉じた入口縦溝流路の組と、
(B) 濾過されるべき空気の通路を、前記媒体梱包体の入口の端部または近傍で閉口し、濾過後の空気を前記媒体梱包体の出口の端部から出すように開口した出口縦溝流路の組と、を備え、
(C) 前記媒体梱包体は、濾過前の空気が前記入口の端部の内部に入り、その後、前記対向する出口から濾過されずに外部に流れないように閉じられ、
(ii)  前記媒体梱包体の前記入口の第１の端部および前記出口の端部に隣接して配置される先行成型部であって、
(A) 前記先行成型部は、前記媒体梱包体の前記入口および前記出口の前記第１の端部から外方的に突出形成されるハウジングシール支持部を有し、
(iii) 気密材料から成型される追加成型部であって、前記追加成型部は、
(A) 前記先行成型部が位置する前記媒体梱包体の前記第１の端部と、前記先行成型部との間の境界のシールを行う第１の部分と、
(B) フィルタエレメントとエアクリーナとの間で半径方向シールが提供されるように、半径方向に指向されるシール部位を有したエアクリーナシールとなる位置に設けられる第２の部分と、を備え、
（C）前記追加成型部の前記第１の部分と前記第２の部分とは互いに一体成型され、
(c) 前記追加成型部の前記第２の部分と前記エアクリーナの間の半径のシールによって取り外し可能に前記エアクリーナにシールされることを特徴とするエアクリーナ。